(57)【要約】【課題】  現像ローラ４や感光ドラム１が接触する部分において発生するオリゴマーによる露光不良や横白スジの形成を防止する。【解決手段】  操作者が選択したドラム空転数に基づき印刷前までにドラム空転を行うようにした。或いは、印刷画像種類に応じてドラム空転数を設定し、当該設定値に基づき印刷前までにドラム空転を行うようにした。或いは、ドラムカウント値に応じてドラム空転数を設定し、当該設定値に基づき印刷前までにドラム空転を行うようにした。或いは、印刷濃度により印刷前までのドラム空転数を補正するようにした。或いは、装置環境により印刷前までのドラム空転数を補正するようにした。【選択図】    図１
2005173290.tif 000002
【特許請求の範囲】
【請求項１】
静電潜像担持体と、
前記静電潜像担持体に接触して設けられた画像形成用部材と、
前記静電潜像担持体に静電潜像を形成する前に、該静電潜像担持体を所定量回転させる設定値を設定する設定手段と、
前記静電潜像担持体に静電潜像を形成する前に該静電潜像担持体を前記設定値に基づいて回転させる制御部とを備えたことを特徴とする画像形成装置。
【請求項２】
前記設定手段を、印刷画像種類に基づき設定する構成としたことを特徴とする請求項１記載の画像形成装置。
【請求項３】
前記設定手段を、前記静電潜像担持体の回転回数に基づき設定する構成としたことを特徴とする請求項１記載の画像形成装置。
【請求項４】
前記設定手段を、印刷濃度に基づき設定する構成としたことを特徴とする請求項１または請求項３記載の画像形成装置。
【請求項５】
温湿度情報を取得する検出部を設け、前記設定手段を、前記検出部の検出結果に基づき設定する構成としたことを特徴とする請求項２ないし請求項４いずれか記載の画像形成装置。
【発明の詳細な説明】
【技術分野】
【０００１】
本発明は、例えば電子写真プリンタのような画像形成装置において、一定期間、静止状態にあった場合であっても、印刷汚れを確実に防止する手段を備えた画像形成装置に関するものである。
【背景技術】
【０００２】
一般に、電子写真プリンタ等の画像形成装置は、感光ドラムを帯電ローラで接触帯電し、露光部により感光ドラム上に静電潜像を書き込み、現像ローラと現像ブレード等からなる現像装置により前記静電潜像上にトナー像を形成し、転写ローラや転写ベルトから構成される転写装置によりトナー像を印刷媒体上に転写し印刷を行う。
【０００３】
そして、転写後の感光ドラム上に残ったトナーは、回転する感光ドラムにクリーニング装置のクリーニングローラやクリーニングブレードを押し当てることにより回収される（例えば、特許文献１参照。）。
【０００４】
また、ほとんどの電子写真プリンタ等の画像形成装置では、導電性シャフトにゴム弾性層を設けた現像ローラを感光ドラムに一定の押付け力で接触させトナーを現像する接触型現像方式を採用している。
【特許文献１】特開平０７−５６４９１号公報
【発明の開示】
【発明が解決しようとする課題】
【０００５】
しかしながら、前記従来の画像形成装置では、現像ローラと感光ドラムが接触する部分（以下、「ニップ部」という）において、常時これらが接触した状態となるので、印刷が行われることなく長時間放置されると、現像ローラのゴム材から析出した低分子成分（以下「オリゴマー」という）が感光ドラムに付着し、１枚目の印刷において１ｂｙ１や２ｂｙ２といったハーフトーン画像において露光不良によりドットを形成できないという問題や、横白スジが形成されたりし、印刷画像の品質が低下するという問題（以下、「オリゴマーライン」という）があった。
【課題を解決するための手段】
【０００６】
本発明は、前述の課題を解決するため以下の構成を採用する。すなわち、静電潜像担持体と、前記静電潜像担持体に接触して設けられた画像形成用部材と、前記静電潜像担持体に静電潜像を形成する前に、該静電潜像担持体を所定量回転させる設定値を設定する設定手段と、前記静電潜像担持体に静電潜像を形成する前に該静電潜像担持体を前記設定値に基づいて回転させる制御部とを備えた。
【発明の効果】
【０００７】
以上の本発明によれば、操作者の設定に応じて、或いはオリゴマーラインの発生に影響を与える印刷設定値、環境情報等に基づき、印刷前までにドラム空転を行うように制御するので、高品質な印刷が可能となる。
【発明を実施するための最良の形態】
【０００８】
静電潜像担持体と、前記静電潜像担持体に接触して設けられた画像形成用部材と、前記静電潜像担持体に静電潜像を形成する前に、該静電潜像担持体を所定量回転させる設定値を設定する設定手段と、前記静電潜像担持体に静電潜像を形成する前に該静電潜像担持体を前記設定値に基づいて回転させる制御部とを備える。
【０００９】
以下、本発明に係る実施形態例を、図面を用いて説明する。なお図面に共通する要素には同一の符号を付す。
【実施例１】
【００１０】
第１の実施形態例の画像形成装置は、ドラムを空転する回数を操作者により設定可能とし、当該設定された値に基づき印刷前までに感光ドラムを空転させるようにしたものである。
【００１１】
（構成）
第１実施形態例の画像形成装置は、図１に示したように、静電潜像担持体としての感光ドラム１と、当該感光ドラム１を所定の電位に帯電させる帯電ローラ２と、静電潜像を感光ドラム１上に形成させる露光部３と、半導電性ゴム等からなる現像ローラ４と、トナー６を搬送するトナー供給ローラ５と、現像ローラ４上にトナー６を薄層形成させる現像ブレード７と、感光ドラム１上の静電潜像に静電的に付着させられたトナー像を印刷媒体１１上に転写する転写ローラ８と、転写後に感光ドラム１に残ったトナー６を除去するクリーニング部９とからなる。
【００１２】
なお、帯電ローラ２、現像ローラ４、トナー供給ローラ５等のローラは、導電性の金属シャフトにエピクロルヒドリンゴム等の半導電性のゴムをロール状に成形した構造とし表面を改質或いは保護層を設けた構造とするのが一般的である。
【００１３】
以上の各部が、同図のように配置され、後述の制御部の制御に基づき図中矢印方向に回転する。
【００１４】
図２は、第１実施形態例の画像形成装置のブロック図である。同図のように第１の実施形態例の画像形成装置２０は、ＰＣ等の上位装置２１からの印刷データ等を受信し印刷制御を行う制御部２３と、画像形成装置の各種設定操作を行うための操作部２２と、ドットカウンタ２４ａを内蔵し印刷画像を生成する画像信号処理部２４と、制御プログラムを記憶するＲＯＭや感光ドラムの回転数を記憶するドラムカウンタ２５ａその他のワーキングメモリから構成される主記憶部２５と、印刷画像に応じ露光部３を制御する露光制御部２６と、画像形成装置のモータ２９の制御を行うモータドライバ２８と、各部バイアス電圧を印加する電源３１の制御を行う電源制御部３０とから構成され、同図のように接続される。
【００１５】
なお、前記ドットカウンタ２４ａは、画像信号処理部２４内に設け画像形成の際にそのドット数をカウントする方法がよいが、画像信号処理部２４内に設けるのではなく印刷の際に例えば制御部２３にてドットカウントを行い主記憶部２５内にその結果を格納するような構成としてもよい。
【００１６】
（動作）
以上の構成により、第１の実施形態例の画像形成装置は、以下のように動作する。まず印刷前までにドラムを空転させる動作（以下、本動作を「ドラム空転」という）及び印刷動作について、図３のタイムチャートを用いて説明する。
【００１７】
ここで、ドラム空転動作とは、印刷動作開始前、すなわち、感光ドラム１に静電潜像を形成する前に、帯電ローラ２、現像ローラ４、トナー供給ローラ５、転写ローラ８に所定の電圧を印加して感光ドラム１を回転させる動作をいう。
【００１８】
図３において、モータ駆動信号は感光ドラム１の回転駆動のオンオフを表す信号であり、帯電電圧信号、現像電圧信号、トナー供給電圧信号、転写電圧信号は、それぞれ帯電ローラ２、現像ローラ４、トナー供給ローラ５、転写ローラ８へ印加する電圧を表す。そして、各信号において、"０"は印加電圧が０Ｖ電位であることを表し"−"は一定のマイナス電位、"＋"は一定のプラス電圧を印加することを表す。
【００１９】
まず、ドラム空転動作として、タイミングｔ１のタイミングにて、帯電ローラ、現像ローラ４、トナー供給ローラ５、転写ローラ８、クリーニング部９の電位を同図のように印加してトナー６が感光ドラム１に搬送されないようにして感光ドラム１を回転させ、タイミングｔ２にてドラム空転動作を終了する。
【００２０】
そして、同図のように各部の電位を切替えて上位装置２１からの印刷データなどの印刷を行う印刷動作を開始し、タイミングｔ３にて印刷動作を終了する。
【００２１】
なお、上記説明は、クリーニングブレード９ａを感光ドラム１に押付けて感光ドラム表面に付着したオリゴマー成分を摩擦により除去するものである。クリーニングブレード９ａの代わりにクリーニングローラを用いる場合には、タイミングｔ１〜タイミングｔ２間のドラム空転動作において、破線のようにウォーミングアップ動作として所定の時間クリーニング部９及び転写ローラ８に−電圧を印加して、帯電ローラ、転写ローラ等に付着したトナー６を除去し、クリーニング部９に回収するようにしてもよい。
【００２２】
次に、ドラム空転制御の動作を図４の動作フローチャート図を用いて説明する。まず、上位装置２１や操作部２２より、操作者が設定した各種設定値を取得する（ステップＳ１）。
【００２３】
ここで、上位装置２１の前記設定値は、通常、印刷装置のプロパティ設定を用いて設定されるものであり、画像形成装置２０の前記設定値は、画像形成装置２０の操作部２２を用いて設定されるものである。
【００２４】
そして、ドラム空転に関する設定は、後述の図５のように設定モード毎にドラム空転数を決めて置き、設定モードを操作者が選定するようにするのがよい。例えば、ドラム空転を行わない場合はレベル０とし、ドラム空転は行うが印刷品位はやや低くてもよい場合はレベル１とし、印刷開始前の空転動作が長くなっても高品位の印刷を行いたい場合はレベル３とし、その中間とする場合は、レベル２を選択するようにする。
【００２５】
再び図４に戻り、ステップＳ１にて取得した情報から前記品質設定情報を抽出し、ドラム空転させるか否かの判定を行い（ステップＳ２）、レベル０が設定されドラム空転動作を行わない場合は、ドラム空転を行わずステップ８に進み、印刷を開始する。
【００２６】
一方、ステップＳ２にてレベル１〜３が設定されドラム空転を行う場合は、図５に示したドラム空転数Ｄｄテーブルを参照し、設定レベルに応じたドラム空転数Ｄｄ値を取得する。例えばドラム空転により時間がかかるが高品質の印刷を行いたい設定であるレベル３が選択されている場合は、ドラム空転数Ｄｄ＝１０回を得る。そして、ドラムカウンタ２５ａよりドラムカウント値Ｄ０を取得し（ステップＳ４）、モータ２９の駆動を開始し、感光ドラム１等を回転させ（ステップＳ５及びタイミングｔ１）、感光ドラム１の１回転によりカウント値が変化するドラムカウント値Ｄｃを読み取り（ステップＳ６）、ドラム空転数Ｄｄ回感光ドラム１が回転したことを検出するまでドラム空転を行う（ステップＳ７）。
【００２７】
そして、感光ドラム１がドラム空転数Ｄｄ回回転したことを検出すると、印刷動作を開始する（ステップＳ８及びタイミングｔ２）。
【００２８】
以上説明したように、操作者等により予め設定されたレベルに応じたドラム空転数Ｄｄ回、印刷前までに感光ドラムを空転することによりニップ部の感光ドラム表面に付着したオリゴマー成分をクリーニング部９のクリーニングブレード９ａにより物理的に、或いはクリーニング部９への印加電圧によりさらに効率的に除去することができる。
【００２９】
なお、上記動作説明では、各部電圧の設定については、説明の簡略化のために説明していないが、図３のタームチャートのように各タイミングｔ１、ｔ２及びｔ３にて切替えるようにすればよい。
【００３０】
以上説明した第１の実施形態例の説明では、操作者がドラム空転数に関する設定だけを行うように説明したが、ドラム空転を行うタイミングとして、例えば印刷開始直前、或いは一定時間のアイドル状態経過後などを操作者が自由に設定できるようにすることもできる。
【００３１】
（第１の実施形態例の効果）
以上述べた第１の実施形態例によれば、操作者の設定に応じて印刷前までのドラム空転を行うように制御するので、操作者の意図した品質の印刷が可能となる。
【実施例２】
【００３２】
第２の実施形態例の画像形成装置は、印刷画像種類に応じてドラム空転数を変化させるようにしたものである。
【００３３】
（構成）
第２の実施形態例の構成は、主記憶２５に格納するドラム空転数Ｄｄテーブルの構成を印刷画像種類に応じたドラム空転数Ｄｄを格納する構成としたものであり、その他の構成は図１及び図２に示した第１の実施形態例の構成と同様であるので簡略化のためにその詳細な説明を省略する。
【００３４】
まず、第２の実施形態例のドラム空転数Ｄｄテーブルの構成について以下に説明する。一般に、印刷画像種類としては、テキスト、グラフィック、デスクトップパブリッシング（以下、「ＤＴＰ」という）、写真等があるが、例えば３０００回ドラム回転後に一定時間静止した後のオリゴマーライン発生の程度を比較する実験によれば、ＤＴＰや写真のような高画質の画像を印刷する場合ほどオリゴマーラインが顕著に発生する。これは、高画質な印刷ほど印刷密度が高くなり、微量のオリゴマー成分によってもオリゴマーラインが発生するためである。この特性に基づき図６に示したようにＤＴＰや写真ほどドラム空転数を大きくするように設定する。
【００３５】
勿論、オリゴマーラインの発生は感光ドラム１などの材質、形状等により変化し、またドラム空転によりクリーニングできる量もクリーニング部９等の材質、形状、印加電圧などにより変化するため、機種毎に実験的に最適なドラム空転数Ｄｄを求め、設定値とするのがよい。
【００３６】
（動作）
第２の実施形態例の画像形成装置は、以上の構成により以下のように動作する。本動作を図７の動作フローチャートを用いて詳細に説明する。なお、画像形成装置の動作のうち、ステップＳ１２ないしＳ１６は、図４にて説明した第１の実施形態例のステップＳ４ないしＳ８と同様であるので、簡略化のためにその詳細な説明は省略する。また、各部の電圧の切替えは、図３に示したタイムチャートと同様であるので、簡略化のためにその説明は省略する。
【００３７】
まず、上位装置２１や操作部２２より、操作者が設定した各種設定値を取得する（ステップＳ１１）。ここで、各種設定値は、第１の実施形態例と同様に上位装置２１の印刷装置のプロパティ設定、或いは画像形成装置２０の操作部２２を用いて設定される設定値である。
【００３８】
ステップＳ１１にて取得した情報から印刷画像種類の情報を抽出し、図６に示したドラム空転数テーブルを参照し、印刷画像種類に応じたドラム空転数Ｄｄ値を取得する。例えば、印刷画像種類としてＤＴＰが選択され印刷が行われた場合は、ドラム空転数Ｄｄ＝６回を取得する。
【００３９】
次に、ステップＳ１２〜Ｓ１５にて、ドラムカウンタ２５ａよりドラムカウント値Ｄ０を取得した後、モータ２９の駆動を開始し（タイミングｔ１）、感光ドラム１等を回転させながらドラムカウント値Ｄｃを読み取り、ドラム空転数Ｄｄ回感光ドラム１が回転したことを検出するまでドラム空転を行う。
【００４０】
そして、感光ドラム１がドラム空転数Ｄｄ回回転したことを検出すると、印刷動作を開始する（ステップＳ１６及びタイミングｔ２）。
【００４１】
以上のように、操作者等により予め設定された印刷画像種類に応じたドラム空転数に基づき、印刷前までに感光ドラムを空転することによりニップ部の感光ドラム表面に付着したオリゴマー成分をクリーニング部９により除去することができる。
【００４２】
（第２の実施形態例の効果）
以上述べた第２の実施形態例によれば、印刷画像種類に応じてドラム空転数を変化させるようにしたので、印刷画像種類により変化するオリゴマーライン発生の程度に応じて適確なドラム空転を行うことができ、印刷品質を向上させることができる。
【実施例３】
【００４３】
第３の実施形態例の画像形成装置は、ドラム回転量によりオリゴマーライン発生の程度が変化する特性を考慮し、ドラム回転量に応じてドラム空転数を変化させるようにしたものである。
【００４４】
（構成）
第３の実施形態例の構成は、主記憶２５に格納するドラム空転数Ｄｄテーブルの構成をドラムカウント値に応じたドラム空転数Ｄｄを格納する構成としたものであり、その他の構成は図１及び図２に示した第１の実施形態例の構成と同様であるので簡略化のためにその詳細な説明を省略する。
【００４５】
第３の実施形態例のドラム空転数Ｄｄテーブルの構成について以下に説明する。まず、図８は、印刷データのない印刷を繰り返したときのドラムカウント値とオリゴマーライン発生の関係を実験により求めたものである。同図横軸はドラム回転の累積数に相当するドラムカウント値であり、縦軸は複数台の装置によりドラム回転１０００回毎に一定時間静止した後、ハーフトーン印刷を行いオリゴマーラインの幅を光学的に計測し、平均したものである。
【００４６】
同図のようにドラムカウント値５００回〜３０００回の場合にオリゴマーラインが最も顕著に発生していることがわかる。従って、ドラム回転数５００回〜３０００回程度の場合にドラム空転数を多くするようにすればよい。この特性により図９のドラム空転数Ｄｄテーブルのように、０〜５００回まではドラム空転数Ｄｄを６回、５０１回〜３０００回まではＤｄ＝１２回、３００１回〜１万回まではＤｄ＝６回などのようにドラムカウント値に応じたドラム空転を設定する。
【００４７】
勿論、オリゴマーラインの発生は感光ドラム１などの材質、形状等により変化し、またドラム空転によりクリーニングできる量もクリーニング部９等の材質、形状、印加電圧などにより変化するため、機種毎に実験的に最適なドラム空転数Ｄｄを求め、設定値とするのがよい。また、ドラム空転数Ｄｄの設定を図１０のように分割して設定する例を示したが、さらに詳細に分割して設定するようにしてもよいし、逆に粗く分割して設定するようにしてもよい。
【００４８】
（動作）
第３の実施形態例の画像形成装置は、以上の構成により以下のように動作する。本動作を図９の動作フローチャートを用いて詳細に説明する。なお、画像形成装置の動作のうち、ステップＳ２３ないしＳ２６は、図４にて説明した第１の実施形態例のステップＳ５ないしＳ８と同様であるので、簡略化のためにその詳細な説明は省略する。また、各部の電圧の切替えは、図３に示したタイムチャートと同様に行うため、簡略化のためにその説明は省略する。
【００４９】
まず、ドラムカウンタ２５ａよりドラムカウント値Ｄ０を取得する（ステップＳ２１）。次に、図９にて説明したドラム空転数Ｄｄテーブルを参照し、前記取得したドラムカウント値Ｄ０に対応するドラム空転数Ｄｄを取得する（ステップＳ２２）。例えば、ステップＳ２１にて取得したドラムカウント値Ｄ０が２５００回であった場合では、図９のドラム空転数Ｄｄテーブルを参照するとドラム空転数Ｄｄとして１２回を取得する。
【００５０】
次に、ステップＳ２３〜Ｓ２５にて、モータ２９の駆動を開始し（タイミングｔ１）、感光ドラム１等を回転させながらドラムカウント値Ｄｃを読み取り、前記取得したドラム空転数Ｄｄ回感光ドラム１が回転したことを検出するまでドラム空転を行う。
【００５１】
そして、感光ドラム１がドラム空転数Ｄｄ回回転したことを検出すると、印刷動作を開始する（ステップＳ２６及びタイミングｔ２）。
【００５２】
以上のように、ドラム回転の累積数に相当するドラムカウント値に応じた適正なドラム空転数Ｄｄ回分、印刷前までに感光ドラムを空転することによりオリゴマー成分をクリーニング部９により効率的に除去することができる。
【００５３】
（第３の実施形態例の効果）
以上述べた第３の実施形態例によれば、ドラムカウント値に応じてドラム空転数を変化させるようにしたので、ドラムカウント値により変動するオリゴマーライン発生の程度に応じて適確なドラム空転を行うことができ、印刷品質を向上させることができる。
【実施例４】
【００５４】
第４の実施形態例の画像形成装置は、印刷濃度によりオリゴマーライン発生の程度が変化する特性を考慮し、印刷濃度に応じてドラム空転数を変化させるようにしたものである。
【００５５】
（構成）
第４の実施形態例の構成は、図１２に示したようにそれまでの平均印刷濃度に応じたドラム空転数補正値ΔＤｄを格納する構成としたものであり、その他の構成は図１及び図２に示した第１の実施形態例の構成と同様であるので簡略化のためにその詳細な説明を省略する。
【００５６】
まず、第４の実施形態例の印刷濃度に応じたドラム空転数補正テーブルの構成について以下に説明する。図１１は、実験により印刷濃度毎にドラムカウント値とオリゴマーライン発生の関係を求めたものである。同図横軸はドラム回転の累積数に相当するドラムカウント値であり、縦軸は複数台の装置により一定の印刷濃度にて印刷動作を繰り返し、ドラム回転１０００回毎に一定時間静止した後、ハーフトーン印刷を行いオリゴマーラインの幅を光学的に計測し、平均したものである。
【００５７】
ここで、図中の印刷濃度Ｐｄは、ドラムカウント値Ｄ０及び画像信号処理部２４内のドットカウンタ２４ａにて印刷ドット数を累積カウントするＤｔから、下式により算出し、パーセントで表したものである。
【００５８】
Ｐｄ＝Ｄｔ／（Ｄ０＊ドラム面全体のドット数）            （１）
【００５９】
図１１から、図８の傾向と同様にドラム回転数５００回〜３０００回の場合にオリゴマーライン発生の程度が最も高く、バラツキはあるが、オリゴマーライン発生の程度は印刷濃度Ｐｄが低いほど高くなることが分かる。
【００６０】
以上の特性から、印刷濃度Ｐｄによるドラム空転数Ｄｄの補正として補正値ΔＤｄを図１２のように設定する。
【００６１】
勿論、印刷濃度Ｐｄによるオリゴマーライン発生の程度は、感光ドラム１などの材質、形状等により変化し、またドラム空転によりクリーニングできる量もクリーニング部９等の材質、形状、印加電圧などにより変化するため、機種毎に最適な補正量ΔＤｄを求め、設定値とするのがよい。また、図１２のように分割して設定する例を示したが、さらに詳細に分割して設定するようにしてもよいし、逆に粗く分割して設定するようにしてもよい。
【００６２】
（動作）
第４の実施形態例の画像形成装置は、以上の構成により以下のように動作する。本動作を図１３の動作フローチャートを用いて詳細に説明する。なお、画像形成装置の動作のうち、ステップＳ３７ないしＳ４０は、図４にて説明した第１の実施形態例のステップＳ５ないしＳ８と同様であるので、簡略化のためにその詳細な説明は省略する。また、各部の電圧の切替えは、図３に示したタイムチャートと同様に行うため、簡略化のためにその説明は省略する。
【００６３】
まず、ドラムカウンタ２５ａよりドラムカウント値Ｄ０を取得し（ステップＳ３１）、ドットカウンタ２４ａからドットカウント値Ｄｔを取得し（ステップＳ３２）、印刷濃度Ｐｄを前出（１）式にて算出し（ステップＳ３３）、算出した印刷濃度Ｐｄに対応するドラム空転数の補正値ΔＤｄを抽出する。例えば、印刷濃度が比較的低い印刷を行った場合で、Ｐｄ＝４％の場合では、図１２の補正テーブルより補正値ΔＤｄとして"２"が抽出される。
【００６４】
次に、図９のドラム空転数Ｄｄテーブルを参照し、ステップＳ３１にて取得したドラムカウント値Ｄ０に対応するドラム空転数Ｄｄを取得する（ステップＳ３５）。例えば、ステップＳ３１にて取得したドラムカウント値Ｄ０が２５００回であった場合では、図９のドラム空転数Ｄｄテーブルを参照するとドラム空転数Ｄｄとして１２回を取得する。そして、ステップＳ３４にて取得した印刷濃度による補正値ΔＤｄ値、前出Ｐｄ＝４％の例では、"２"と加算し、ドラム空転数Ｄｄ'を下式により算出しＤｄ'＝１４を得る（ステップＳ３６）。
【００６５】
Ｄｄ'＝Ｄｄ＋ΔＤｄ                                    （２）
【００６６】
次に、ステップＳ３７〜Ｓ３９にて、モータ２９の駆動を開始し（タイミングｔ１）、感光ドラム１等を回転させながらドラムカウント値Ｄｃを読み取り、前記取得したドラム空転数Ｄｄ'回感光ドラム１が回転したことを検出するまでドラム空転を行う。そして、感光ドラム１がドラム空転数Ｄｄ'回回転したことを検出すると、印刷動作を開始する（ステップＳ４０及びタイミングｔ２）。
【００６７】
なお、以上説明したように図１２のような印刷濃度による補正テーブルの構成として、ステップＳ３４にてΔＤｄを求め、ドラムカウント値Ｄ０よりドラム空転数Ｄｄを求め、これらを加算する方法ではなく、予め、印刷濃度Ｐｄの影響を考慮し、図１４に示したようにドラムカウント値毎に印刷濃度Ｐｄに対するドラム空転数Ｄｄを設定する構成とし、ドラムカウント値Ｄ０と印刷濃度Ｐｄより直接的にドラム空転数Ｄｄを抽出するようにしてもよい。
【００６８】
（第４の実施形態例の効果）
以上述べた第４の実施形態例によれば、印刷濃度によりドラム空転数を補正するようにしたので、印刷濃度により変動するオリゴマーライン発生の程度に応じて、印刷前までに適確に感光ドラムを空転することができるので、効率よく印刷品質を向上させることができる。
【実施例５】
【００６９】
第５の実施形態例の画像形成装置は、温度湿度等の装置環境によりオリゴマーラインの発生の程度が変化することを考慮し、装置環境に応じてドラム空転数を変化させるようにしたものである。
【００７０】
（構成）
第５の実施形態例の構成は、図１５に示したように環境センサとして温湿度センサ３２を制御部に接続した構成とし、図１６に示したような温湿度から求められる絶対湿度に対応したドラム空転数補正値ΔＤｄ'を格納する構成としたものであり、その他の構成は図１及び図２に示した第１の実施形態例の構成と同様であるので簡略化のためにその詳細な説明を省略する。
【００７１】
まず、図１６に示した第５の実施形態例のドラム空転数Ｄｄの環境による補正テーブルの構成について説明する。ここで絶対湿度は、温湿度センサ３２にて検出される装置内部の温度・相対湿度から求められる絶対湿度（ｇ／ｍ３）をいい、この絶対湿度が高いほど、オリゴマーライン発生の程度が高くなることが実験的に求められているので、この特性から図１６のように一定の絶対湿度範囲毎にドラム空転数Ｄｄの補正値ΔＤｄ'を設定するようにする。
【００７２】
勿論、絶対湿度によるオリゴマーラインの発生は感光ドラム１などの材質、形状等により変化し、またドラム空転によりクリーニングできる量もクリーニング部９等の材質、形状、印加電圧などにより変化するため、機種毎に実験的に最適な補正値ΔＤｄ'を求め、設定値とするのがよい。また、図１６のように分割して設定する例を示したが、さらに詳細に分割して設定するようにしてもよいし、逆に粗く分割して設定するようにしてもよい。
【００７３】
（動作）
第５の実施形態例の画像形成装置は、以上の構成により以下のように動作する。本動作を図１７の動作フローチャートを用いて詳細に説明する。なお、画像形成装置の動作のうち、ステップＳ５１ないしＳ５５及びＳ５９〜Ｓ６２は、図１３にて説明した第４の実施形態例のステップＳ３１ないしＳ３５、ステップＳ３７〜Ｓ４０と同様であるので、簡略化のためにその詳細な説明は省略する。また、各部の電圧の切替えは、図３に示したタイムチャートと同様に行うため、簡略化のためにその説明は省略する。
【００７４】
まず、ステップＳ５１〜Ｓ５５では、ドラムカウンタ２５ａよりドラムカウント値Ｄ０を取得し、ドットカウンタ２４ａからドットカウント値Ｄｔを取得し、印刷濃度Ｐｄを前出（１）式にて算出し、算出した印刷濃度Ｐｄに対応するドラム空転数の補正値ΔＤｄを抽出する。そして、図９のドラム空転数Ｄｄテーブルを参照し、ドラムカウント値Ｄ０に対応するドラム空転数Ｄｄを取得する。
【００７５】
次に、温湿度センサの検出結果に基づき絶対湿度を算出し、算出した絶対温度に該当する補正値ΔＤｄ'値と図１６の環境による補正テーブルから抽出する。例えば絶対湿度が１０（ｇ／ｍ３）の場合では、図１６の環境による補正テーブルから補正値ΔＤｄ'値＝１を取得する。
【００７６】
そして、以上のように求めた補正値ΔＤｄ'値に基づき下式によりドラム空転数Ｄｄ'を算出する（ステップＳ５８）。
【００７７】
Ｄｄ'＝Ｄｄ＋ΔＤｄ                                    （３）
【００７８】
次に、ステップＳ５９〜Ｓ６１にて、モータ２９の駆動を開始し（タイミングｔ１）、感光ドラム１等を回転させながらドラムカウント値Ｄｃを読み取り、前記ドラム空転数Ｄｄ'回感光ドラム１が回転したことを検出するまでドラム空転を行う。そして、感光ドラム１がドラム空転数Ｄｄ'回回転したことを検出すると、印刷動作を開始する（ステップＳ６２及びタイミングｔ２）。
【００７９】
なお、図１６のような環境による補正テーブルの構成ではなく、図１４に示したようなドラムカウント値、印刷濃度Ｐｄに対するドラム空転数Ｄｄを設定する構成で、これをさらに絶対湿度毎に設ける構成とし、ドラムカウント値Ｄ０、印刷濃度Ｐｄ、絶対湿度より直接的にドラム空転数Ｄｄを抽出する構成としてもよい。
【００８０】
（第５の実施形態例の効果）
以上述べた第５の実施形態例によれば、装置環境によりドラム空転数を補正できるようにしたので、装置環境により変動するオリゴマーライン発生の程度に応じて印刷前までに適確に感光ドラムを空転することことができるので、効率よく印刷品質を向上することができる。
【００８１】
《その他の変形例》
以上述べた実施形態例の他、以下の変形例の実施形態としても本発明と同様の作用、効果が得られる。すなわち、
【００８２】
（１）以上の実施形態例の説明では、画像形成装置２０にて操作部２２によるドラム空転数の設定やドラムカウント値、ドットカウント値等によりドラム空転数を設定する例を示したが、印刷画像種類、印刷濃度、ドラムカウント値或いはドットカウント値等の情報を上位装置にて管理し、これらの情報に基づきドラム空転数を決定し、空転コマンドとして画像形成装置に送信するような構成とすることもできる。
【００８３】
（２）また、以上の実施形態例の説明では、操作者の設定やドラムカウント値、ドットカウント値等によりドラム空転数を設定する例を示したが、やや高価となるが、感光ドラム１上のオリゴマー成分を光学センサ等により検出するようにし、光学センサの検出結果に基づきドラム空転数を設定するようにしてもよい。
【００８４】
（３）また、以上の実施形態例の説明では、図３タイムチャートに示したように印刷前までに設定値に基づきドラム空転を行うように説明したが、印刷動作の後一定時間静止状態があったときに、一回のみ或いは一定時間おきにドラム空転を行うようにしてもよい。
【００８５】
（４）また、以上の実施形態例の説明では、上位装置や操作部にて設定したドラム空転数と制御部２３にて自動的にドラムカウント値等から抽出するドラム空転数の優先設定については特に説明していないが、当該優先順位を上位装置或いは操作部２２にて予め設定するようにしてもよいし、当該優先順位のテーブルを上位装置或いは画像形成装置内に設けこの優先順位に従ってドラム空転数を設定するようにしてもよい。
【００８６】
（５）第４、第５の実施形態例の説明では、ドラムカウント値に応じたドラム空転数に印刷濃度による補正、環境による補正を行う例を示したが、ドラムカウント値により、オリゴマーライン発生の程度があまり変化しない構成の画像形成装置では、ドラムカウント値とは無関係に独立してドラム空転数を設定して置き、これにより印刷前のドラム空転を行うようにしてもよい。
【００８７】
（６）以上の実施形態例の説明では、静止状態の時間によるドラム空転数の設定については説明していないが、電源オン状態で印刷動作を行わない時間やバッテリーバックアップしたタイマー等により電源をオフしている時間などを計測し、これらの時間に応じて、ドラム空転数を補正するようにしてもよい。
【産業上の利用可能性】
【００８８】
以上述べたように、本発明は、電子写真プリンタ等の印刷装置を始め、コピー機など各部ローラが接触する部分でオリゴマー成分が発生する画像形成装置に広く用いることができる。
【図面の簡単な説明】
【００８９】
【図１】第１ないし第５の実施形態例の機構系構成図である。
【図２】第１ないし第４の実施形態例の制御系構成図である。
【図３】第１ないし第５の実施形態例のタイムチャートである。
【図４】第１の実施形態例の動作フローチャートである。
【図５】第１の実施形態例のドラム空転数Ｄｄテーブルである。
【図６】第２の実施形態例のドラム空転数Ｄｄテーブルである。
【図７】第２実施形態例の動作フローチャートである。
【図８】ドラムカウント値とオリゴマーライン発生の関係を説明する図である。
【図９】第３の実施形態例のドラム空転数Ｄｄテーブルである。
【図１０】第３実施形態例の動作フローチャートである。
【図１１】印刷濃度Ｐｄとオリゴマーライン発生の関係を説明する図である。
【図１２】第４の実施形態例の印刷濃度による補正テーブルである。
【図１３】第４実施形態例の動作フローチャートである。
【図１４】第４の実施形態例のドラム空転数Ｄｄテーブルである。
【図１５】第５の実施形態例の制御系構成図である。
【図１６】第５の実施形態例の環境による補正テーブルである。
【図１７】第５実施形態例の動作フローチャートである。
【符号の説明】
【００９０】
１    感光ドラム
４    現像ローラ
６    トナー
９    クリーニング部
２０  画像形成装置
２２  操作部
２３  制御部
２４ａ  ドットカウンタ
２５ａ  ドラムカウンタ
【図１】
2005173290.tif 000003
【図２】
2005173290.tif 000004
【図３】
2005173290.tif 000005
【図４】
2005173290.tif 000006
【図５】
2005173290.tif 000007
【図６】
2005173290.tif 000008
【図７】
2005173290.tif 000009
【図８】
2005173290.tif 000010
【図９】
2005173290.tif 000011
【図１０】
2005173290.tif 000012
【図１１】
2005173290.tif 000013
【図１２】
2005173290.tif 000014
【図１３】
2005173290.tif 000015
【図１４】
2005173290.tif 000016
【図１５】
2005173290.tif 000017
【図１６】
2005173290.tif 000018
【図１７】
2005173290.tif 000019